(57)【要約】【課題】廃棄物を再利用して作製可能な簡易な構成の飲料用容器のホルダーを提供する。【解決手段】使用済のペットボトルを再利用して作製され、椅子２の背もたれ等の支柱２ａに取付け可能な飲料用容器のホルダー１であって、ペットボトルの中央付近を周方向に切断した有底筒状の下側部分で構成される保持部４と、保持部４から延び、支柱２ａに巻き付けて保持部４を固定する取付け部５と、を備えた。【選択図】図１
2010173733.tif 000002
【特許請求の範囲】
【請求項１】
使用済のペットボトルを再利用して作製され、椅子の背もたれ等の支柱に取付け可能な飲料用容器のホルダーであって、
前記ペットボトルの中央付近を周方向に切断した有底筒状の下側部分で構成される保持部と、
前記保持部から延び、前記支柱に巻き付けて前記保持部を固定する取付け部と、
を備えたことを特徴とする飲料用容器のホルダー。
【請求項２】
前記保持部の側面には、周方向に凹部が形成され、
前記取付け部は、前記凹部に嵌まり込むように固定される第１固定部材と、前記第１固定部材に一端側が連結され、他端側にはフック部材が設けられているひも状の第２固定部材と、を有することを特徴とする請求項１に記載のホルダー。
【請求項３】
前記保持部の上端が、切り口を保護する保護テープで覆われていることを特徴とする請求項１又は２に記載のホルダー。
【発明の詳細な説明】
【技術分野】
【０００１】
本発明は、ペットボトルや缶等の飲料用容器を保持するホルダーに関する。
【背景技術】
【０００２】
ペットボトルや缶等の飲料用容器を保持するためのホルダーとして、例えば、車両に固定して使用するものが知られている（例えば、特許文献１参照。）。
【先行技術文献】
【特許文献】
【０００３】
【特許文献１】特開２００５−２４７０４１号公報
【発明の概要】
【発明が解決しようとする課題】
【０００４】
椅子を並べた会場で講義等をする場合において、来場者が飲料用容器を持ちながら参加していると、容器を置くための場所がないため不便である。環境の観点から資源を無駄にすることなく、廃棄物を再利用して作製されたホルダーを椅子に取り付けたい。
【０００５】
そこで、本発明は廃棄物を再利用して作製可能な簡易な構成の飲料用容器のホルダーを提供することを目的とする。
【課題を解決するための手段】
【０００６】
本発明の飲料用容器のホルダーは、使用済のペットボトルを再利用して作製され、椅子（２）の背もたれ等の支柱（２ａ）に取付け可能な飲料用容器のホルダー（１）であって、前記ペットボトルの中央付近を周方向に切断した有底筒状の下側部分で構成される保持部（４）と、前記保持部から延び、前記支柱に巻き付けて前記保持部を固定する取付け部（５）と、を備えたことにより上記課題を解決する。
【０００７】
本発明の飲料用容器のホルダーによれば、通常、廃棄物となる使用済のペットボトルを加工してホルダーとすることにより、資源を有効に活用することができる。椅子に固定するための取付け部を保持部に対して設けるだけの簡易な構成なので、低コストで実現できる。
【０００８】
本発明のホルダーの一形態において、前記保持部の側面には、周方向に凹部（４ａ）が形成され、前記取付け部は、前記凹部に嵌まり込むように固定される第１固定部材（５ａ）と、前記第１固定部材に一端側が連結され、他端側にはフック部材（５ｃ）が設けられているひも状の第２固定部材（５ｂ）と、を有してもよい。この形態によれば、保持部に利用されるペットボトルに形成されている凹部に第１固定部材を嵌め込んで固定するので、取付け部が保持部に対してずれることなく安定して固定される。そして、第２固定部材が第１固定部材に連結され、端部にフック部材が設けられているので、第２固定部材を椅子の支柱に巻き付けてフック部材を第１固定部材に引っ掛けることにより、ホルダーが椅子に固定される。フック部材の着脱によりホルダーの椅子への着脱が可能となるので、必要なときのみ椅子にホルダーを取り付けることができ、何度もホルダーを利用することができる。
【０００９】
本発明のホルダーの一形態において、前記保持部の上端が、切り口を保護する保護テープ（６）で覆われていてもよい。この形態によれば、使用済のペットボトルを切断した際の切り口を保護テープで覆うことにより、安全に使用することができる。
【００１０】
なお、以上の説明では本発明の理解を容易にするために添付図面の参照符号を括弧書きにて付記したが、それにより本発明が図示の形態に限定されるものではない。
【発明の効果】
【００１１】
以上、説明したように、本発明の飲料用容器のホルダーにおいては、通常、廃棄物となる使用済のペットボトルを加工してホルダーとすることにより、資源を有効に活用することができる。椅子に固定するための取付け部を保持部に対して設けるだけの簡易な構成なので、身近な素材で構成でき、かつ低コストで実現できる。
【図面の簡単な説明】
【００１２】
【図１】本発明の一形態に係る飲料用容器のホルダーが取り付けられた椅子を示した外観図。
【図２】ホルダーの構成図。
【図３】ホルダーを椅子に取り付けた様子を示す拡大図。
【発明を実施するための形態】
【００１３】
図１に本発明の一形態に係る飲料用容器のホルダーが取り付けられた椅子を示す。ホルダー１は、椅子２の側部に取り付けられ、容器としてのボトル３を保持する。ボトル３の他、缶や紙コップ等も保持可能である。図２にホルダー１の構成図を示す。ホルダー１は、保持部４と、取付け部５とを備えている。保持部４には、空のペットボトルを上下に分けるように切断して得られた有底筒状の下側の部材が用いられる。保持部４には飲料消費後の空のペットボトルが利用される。保持部４には、側面周囲にぐるりと形成された凹部４ａが設けられている。凹部４ａには、ペットボトルの形状がそのまま利用される。取付け部５は、凹部４ａに固定される第１固定部材５ａと、第１固定部材５ａに取り付けられる第２固定部材５ｂとを有する。第２固定部材５ｂには、フック状のフック部材５ｃと、ひもの両端がフック部材５ｃに固定されて輪状となったひも部材５ｄとが設けられている。ひも部材５ｄを第１固定部材５ａにくくり付けて取り付けられる。なお、第１固定部材５ａ及び第２固定部材５ｂは、市販の各種結束バンドを利用して構成してよい。
【００１４】
ホルダー１の作製手順を説明する。ボトル３を保持可能な大きさが必要なため、用意する空のペットボトルは、１．５〜２．０［Ｌ］の容量のものが望ましい。用意したペットボトルの中央付近を周方向に沿って切断し、有底筒状の下側部分を保持部４として利用する。保持部４の上端、つまり、切断した切り口は、保護テープとしてのビニールテープ６で覆ってもよい。保持部４の凹部４ａに第１固定部材５ａを取り付けて固定する。第１固定部材５ａとして結束バンドを利用することにより、凹部４ａに嵌まり込むように固定することができ確実に取り付けることができる。そして、第２固定部材５ｂのひも部材５ｄを第１固定部材５ａにくくり付けて取り付ける。第１固定部材５ａが凹部４ａに取り付けられるので、取付け部５がずれることなく安定して保持部４に固定される。保持部４の胴部には、フィルム７を巻き付けてエコロジーメッセージやイラストを表示してもよい。
【００１５】
ホルダー１の取付け手順を説明する。ホルダー１を取り付ける椅子２は、ホルダー１の取付け場所を確保するため、背もたれの支柱２ａを有するものが望ましい。椅子２の支柱２ａには第２固定部材５ｂを回し掛けて、フック部材５ｃを保持部４に取り付けられた第１固定部材５ａに引っ掛ける。図３にホルダー１を椅子２に取り付けた様子を示す。フック部材５ｃを第１固定部材５ａに引っ掛けるだけで椅子２に取り付けられるので、ホルダー１の椅子２への着脱も容易に行える。なお、背もたれの支柱２ａに限らず、肘掛けの支柱等に取付け部５を取り付けて固定してもよい。
【００１６】
椅子２への取付け後は、保持部４へボトル３を入れてホルダーとして使用できる。第１固定部材５ａは保持部４の凹部４ａに固定されているので、飲料の入った未開封のボトル３であっても安定して保持することができる。
【００１７】
本発明は、上述した形態に限定されることなく、種々の形態にて実施することができる。例えば、本形態では、取付け部５を第１固定部材５ａ及び第２固定部材５ｂで説明したがこれに限られず、例えば、取付け部５として、リボン状のものを設けて支柱２ａに結ぶようにしたり、面テープを設けて着脱可能に構成したりしてもよい。本形態では、保護テープとしてビニールテープ６として説明したがこれに限られず、例えば、紙粘着テープや布粘着テープ等の各種粘着テープを使用してよい。様々な素材や色のテープを使用することでデザイン的にも考慮することができる。
【符号の説明】
【００１８】
１  ホルダー
２  椅子
４  保持部
５  取付け部
【図１】
2010173733.tif 000003
【図２】
2010173733.tif 000004
【図３】
2010173733.tif 000005